(57)【特許請求の範囲】
【請求項１】
上蓋部と土台部とにより対象物を挟持するとともに、前記土台部の裏面に嵌込された磁石体が被磁着面に対して着脱可能に磁着されて使用される磁石クリップであって、
前記土台部は、略四角形状の土台板を備え、
前記土台板の前記対象物が挟持される側の左右両端近傍それぞれに切欠きが形成され、前記切欠きに中空の弾性体が嵌め込まれることを特徴とする磁石クリップ。
【請求項２】
前記上蓋部の前記対象物が挟持される側と逆側の後端及び左右端のそれぞれにおいて、下方に伸びるよう折曲された後側縁と、左側縁と、右側縁とを有し、
前記後側縁と前記左側縁と前記右側縁とは、当該磁石クリップが開状態のときに前記土台部の後端上面を覆う凹み空間を構成することを特徴とする請求項１に記載の磁石クリップ。
【請求項３】
前記上蓋部と前記土台部とを接続する軸体を有し、
前記軸体にダブルトーションバネを軸通させることを特徴とする請求項１に記載の磁石クリップ。
【請求項４】
前記土台部は、前記土台板の左右端においてそれぞれ下方に折曲された右側面板及び左側面板と、前記土台板の後端において下方に折曲された背面板とを備え、
前記背面板の上下高さは、前記右側面板及び前記左側面板の上下高さよりも低いことを特徴とする請求項１に記載の磁石クリップ。
【請求項５】
前記土台部の裏面に嵌込された磁石体の裏面の前記対象物が挟持される側には、左右に亘って横長略長方形状の滑り止め性を有するシート体が貼着されたことを特徴とする請求項１に記載の磁石クリップ。
【発明の詳細な説明】
【技術分野】
【０００１】
本発明は、磁石クリップに関する。
【背景技術】
【０００２】
従来、紙等の対象物をバネ力によって挟持するとともに、磁石によって金属面やホワイトボード等の被磁着面に対して着脱可能に磁着される磁石クリップが知られている。この磁石クリップは、デスク周りや家庭の冷蔵庫等に磁着されて利便性良く使用されている。このような磁石クリップに関する各種の発明がなされてきた（例えば、特許文献１、２参照）。
【０００３】
特許文献１には、下面に磁着部材が設けられる基盤と、基盤に回動自在に設けられる主板と、主板を基盤に対して付勢する付勢手段と、を有し、基盤は、前方側に下方に向けて下るよう傾斜される傾斜部を備え、被挟持物を挟持する挟持部は、基盤の傾斜部に設けられる基盤側挟持部と、主板に設けられる主板側挟持部とにより形成されるクリップが開示されている。特許文献１に係るクリップによれば、紙等のシート状の被挟持物を掲示したときに、被挟持物のフラつきを低減することができる。
【０００４】
また特許文献２には、ベースに取付けられた磁石体と、弾性体とを備え、磁石体は平面である磁着面を備えており、弾性体は、磁着面の近傍に配されたものであり、磁石体の磁着面を含む平面から突出しており、且つ磁着面が被磁着面に磁着させられたときに、被磁着面に押圧されて潰れるような突出部を備えたものである磁石構造体が開示されている。特許文献２に係る磁石構造体によれば、磁石が持つ磁着力を大きくしなくとも、磁石が被磁着面に対して滑りにくくなる。
【先行技術文献】
【特許文献】
【０００５】
【特許文献１】特開２０１７−９４６５２号公報
【特許文献２】特開２０１６−３６６２６号公報
【発明の概要】
【発明が解決しようとする課題】
【０００６】
ところで、上記の特許文献１に開示されたクリップでは、被挟持物の滑りを防止するために、主板の裏面及び基盤の傾斜部にエラストマー等の軟質弾性部材を設けている。特許文献１に開示された技術以外の従来のこのような被挟持物の滑りを防止するための構成としては、例えばゴム等の弾性体を基盤に一体成形するもの、押し出し一体成形するもの、ゴムをドブ漬けするもの等がある。
【０００７】
しかしながら、以上のような従来の被挟持物の滑りを防止するための構成では、成形費用や金型代、二次加工費が高コストになる問題があった。
【０００８】
本発明は、上記の点に鑑みてなされたものであり、低コスト且つ簡易な構成により被挟持物の滑りを防止することが可能な磁石クリップを提供することを目的とする。
【課題を解決するための手段】
【０００９】
上記の目的を達成するために、本発明に係る磁石クリップは、上蓋部と土台部とにより対象物を挟持するとともに、前記土台部の裏面に嵌込された磁石体が被磁着面に対して着脱可能に磁着されて使用される磁石クリップであって、前記土台部は、略四角形状の土台板を備え、前記土台板の前記対象物が挟持される側の左右両端近傍それぞれに切欠きが形成され、前記切欠きに中空の弾性体が嵌め込まれることを特徴とする。
【００１０】
また上記の目的を達成するために、前記上蓋部の前記対象物が挟持される側と逆側の後端及び左右端のそれぞれにおいて、下方に伸びるよう折曲された後側縁と、左側縁と、右側縁とを有し、前記後側縁と前記左側縁と前記右側縁とは、当該磁石クリップが開状態のときに前記土台部の後端上面を覆う凹み空間を構成することを特徴とする。
【００１１】
また上記の目的を達成するために、前記上蓋部と前記土台部とを接続する軸体を有し、前記軸体にダブルトーションバネを軸通させることを特徴とする。
【００１２】
また上記の目的を達成するために、前記土台部は、前記土台板の左右端においてそれぞれ下方に折曲された右側面板及び左側面板と、前記土台板の後端において下方に折曲された背面板とを備え、前記背面板の上下高さは、前記右側面板及び前記左側面板の上下高さよりも低いことを特徴とする。
【００１３】
また上記の目的を達成するために、前記土台部の裏面に嵌込された磁石体の裏面の前記対象物が挟持される側には、左右に亘って横長略長方形状の滑り止め性を有するシート体が貼着されたことを特徴とする。
【発明の効果】
【００１４】
本発明によれば、低コスト且つ簡易な構成により被挟持物の滑りを防止することができる。
【図面の簡単な説明】
【００１５】
【図１】本実施形態に係る磁石クリップの一例に係る斜視図である。
【図２】本実施形態に係る磁石クリップの一例を右側方から見た図である。
【図３】本実施形態に係る磁石クリップの一例を背面側から見た図である。
【図４】本実施形態に係る磁石クリップの一例を底面から見た斜視図である。
【図５】本実施形態に係る磁石クリップの一例に係る分解斜視図である。
【図６】本実施形態に係る土台部の一例を上面から見た図である。
【図７】本実施形態に係る上蓋部の内側を拡大して見た斜視図である。
【図８】本実施形態に係る土台部の第１変形例を上面から見た図である。
【図９】本実施形態に係る土台部の第２変形例を上面から見た図である。
【発明を実施するための形態】
【００１６】
以下、本発明の実施形態について説明する。なお、以下の説明においては、本発明を紙等の対象物をバネ力によって挟持するとともに、磁石によって金属面やホワイトボード等の被磁着面に対して着脱可能に磁着される磁石クリップに対して適用した場合を例に挙げて説明するが、この場合に限定されるものではない。磁石を備えないクリップ等に対しても適宜適用可能である。
【００１７】
［磁石クリップの構成例］
図１は、本実施形態に係る磁石クリップの一例に係る斜視図である。図２（ａ）、（ｂ）、（ｃ）は、それぞれ本実施形態に係る磁石クリップの一例を右側方から見た図である。図２（ａ）は磁石クリップが閉状態を示す図であり、図２（ｂ）は磁石クリップが開いて上蓋部と土台部とが略平行になった状態を示す図であり、図２（ｃ）は磁石クリップの開状態を示す図である。なお、左側方から見た図は、図２の各図と対称に表れるため、図示を省略する。
【００１８】
図３は、本実施形態に係る磁石クリップの一例を背面側から見た図である。図４は、本実施形態に係る磁石クリップの一例を底面側から見た斜視図である。図５は、本実施形態に係る磁石クリップの一例に係る分解斜視図である。図６は、本実施形態に係る土台部の一例を上面から見た図である。
【００１９】
図１〜図５に示す磁石クリップ１は、主に上蓋部２と、磁石を備える土台部３とから構成される（図１参照）。この磁石クリップ１は、上蓋部２と土台部３とにより紙等の対象物を挟持するとともに、土台部３の裏面に嵌込された磁石体４（例えば図４参照）が金属面やホワイトボード等の被磁着面に対して着脱可能に磁着されて使用されるものである。
【００２０】
上蓋部２は、図１に示すように、前後方向に向かって緩やかな曲面状に形成された蓋本体２１と、蓋本体２１の前後端においてそれぞれ下方に伸びるよう折曲された前側縁２２及び後側縁２３と、蓋本体２１の左右端においてそれぞれ下方に伸びるよう折曲された右側縁２４及び左側縁２５と、右側縁２４及び左側縁２５よりも内側下方に向けて伸びるよう折曲された逆三角形状の右支持板２６及び左支持板２７とを備える。また、蓋本体２１の上面後方には、使用者が容易に押下可能になるよう緩やかな窪み２１Ａ（図１や図３参照）が形成されている。２つの右支持板２６及び左支持板２７には、円形の接続孔２６Ａ、２７Ａが穿設されている（図５参照、図５では左支持板２７及び左支持板２７側の接続孔２７Ａは不図示）。なお、これら蓋本体２１、前側縁２２、後側縁２３、右側縁２４、左側縁２５、右支持板２６及び左支持板２７は、プラスティック等の樹脂によって一体的に成形される。但し、これら蓋本体２１、前側縁２２、後側縁２３、右側縁２４、左側縁２５、右支持板２６及び左支持板２７は樹脂製に限定されるものではなく、金属製のものであってもよい。
【００２１】
この上蓋部２では、左右端において従来品では形成されることのなかった右側縁２４及び左側縁２５が形成されている。これら右側縁２４及び左側縁２５は前後方向の後方に向かう程上下長さが長くなるよう構成される（図２参照）。これら右側縁２４及び左側縁２５によって、上蓋部２の高い強度を確保することができる。
【００２２】
また、この上蓋部２の裏面後方において、後側縁２３と右側縁２４と左側縁２５とにより囲まれた凹み空間Ｓ１（図２参照）が形成される。この凹み空間Ｓ１は、図２（ｃ）に示すように、磁石クリップ１が開状態のときに土台部３の後端上面側を覆うこととなる。このため、凹み空間Ｓ１がない場合に比べて、磁石クリップ１の広い開口領域、すなわち図２（ｃ）の状態における上蓋部２と土台部３との間の開口領域をより広く確保することができる。また、図２（ｂ）に示すように、上蓋部２の後端は土台部３の後端よりも後方に長く構成されることにより、両者が同程度の長さで構成される従来品より、テコの原理を利用して軽い力で開閉することができる。
【００２３】
土台部３は、図３や図５に示すように、略四角形状に形成された土台板３１と、土台板３１の左右端においてそれぞれ下方に折曲された右側面板３２及び左側面板３３と、土台板３１の後端において下方に折曲された背面板３４とを備える。右側面板３２、左側面板３３及び背面板３４の各々は横長長方形状に形成される。なお、これら土台板３１、右側面板３２、左側面板３３及び背面板３４は、ステンレス等の金属製の板によって形成される。また、土台板３１の形状は略四角形状に限定されるものではなく、本発明の趣旨に沿ってその他の形状であってもよい。さらに、土台板３１、右側面板３２、左側面板３３及び背面板３４は金属製のものに限定されるものではなく、樹脂製のものであってもよい。
【００２４】
なお、背面板３４の上下高さは、右側面板３２及び左側面板３３の上下高さよりもやや低くなっている。すなわち、背面板３４の下端縁が、土台部３の裏面に嵌め込まれる磁石板４の裏面と同一面上若しくは同一面より少しだけ上側に引っ込んだ位置に配置される。これにより、上蓋部２と土台部３とを開閉させる際の背面板３４の下端縁及び磁石板４の裏面に対する指当たりが良くなり、従来品において開閉時に指が痛い、違和感がある等の問題を改善することができる。
【００２５】
また、図５に示すように、土台板３１の上面の左右端略中央には、それぞれ略Ｕ字状の右支持部３５、左支持部３６が立設されている。これら右支持部３５、左支持部３６は、土台板３１の一部（略Ｕ字状の部分）を切断して立ち上げることによって形成されたものであり、それぞれ円形の接続孔３５Ａ、３６Ａが穿設されている。これらの接続孔３５Ａ、３６Ａは、上蓋部２を土台部３に取付けるためのものである。
【００２６】
また、図４〜図６に示すように、土台板３１は、前後方向の前方、すなわち対象物が挟持される側において、左右両端（左右両端近傍に含まれる）に二箇所の切欠き３１Ａ、３１Ｂが形成されている。これらの切欠き３１Ａ、３１Ｂは、断片化されたシリコンチューブやＯリング等の中空の弾性体５を嵌め込むためのものである。なお、弾性体５は、その他ＴＰＥ・ＴＰＵ等の熱可塑性樹脂及びＮＲ・クロロプレンゴム・ブチルゴム・ニトリルブタジエンゴム・ウレタンゴム等の樹脂系ゴム（合成ゴム）チューブであってもよい。
【００２７】
これらの切欠き３１Ａ、３１Ｂが形成されることにより以下の利点を奏する。その利点とは、磁石クリップ１の製造者が、簡易に構成される切欠き３１Ａ、３１Ｂのそれぞれに沿って、手作業等により土台板３１の左右両端側に弾性体５を嵌め込むことによって、最小限の時間及び人件費の二次加工費で土台板３１の前端側に滑り止め機能を持たせることができることである。すなわち、例えばゴム等の弾性体を土台板３１に一体成形するもの、押し出し一体成形するもの、ゴムをドブ漬けするものに比して安価な二次加工費により滑り止め機能を実現することができる。
【００２８】
また、前述の通り、上蓋部２は樹脂で形成されており、上蓋部２において２つの弾性体５の各々との接触位置に、任意の形状例えば四角形状の当接面２８（図２参照）を形成することで、この樹脂製の当接面２８と弾性体５との間で紙以外の滑りやすいクリアファイル等であってもしっかり挟持して固定することができる。
【００２９】
このような土台部３の裏面側には、土台板３１、右側面板３２、左側面板３３及び背面板３４に囲まれた空間Ｓ２（図４、図５参照）が形成され、この空間Ｓ２に磁石体４が嵌め込まれて固定される。
【００３０】
磁石体４は、図５に示すように、直方体形状の磁石である。磁石体４の左右方向の幅は、土台部３の左側面板３２と右側面板３３との間の間隔と同一又は少し短い。また、磁石体４の前後方向の長さは土台板３１の前後方向の長さよりも短い。より具体的には、図４に示すように、土台板３１の前後方向の全体の長さから前述の切欠き３１Ａ、３１Ｂよりも前方側の長さを差し引いた長さである。更に、磁石体４の上下方向の厚みは、背面板３４の上下高さに等しい又は背面板３４の上下高さより少しだけ長い。以上に示す磁石体４は、接着剤等により土台板３１の裏面に固定される。
【００３１】
この磁石体４の裏面において前後方向の前方側には、横長略長方形状のシート体６が左右に亘って接着剤等により貼着されている（図４、図５参照）。シート体６とは、例えば天然／合成ゴムまたは弾性類似素材にアルキド樹脂を主成分として硬化剤およびポリイソシアネートプレポリマーを混合して硬化させたウレタン系塗装剤を塗布したシートである。このシート体６が前後方向の前方側（すなわち、被磁着面に磁着した磁石クリップ１を取り外すに際し、テコの原理を利用して上蓋部２の後端を把持して手前に引いて取り外す場合の支点となる位置）に貼着されることによって、対象物が挟持され且つ吊下された状態で磁石クリップ１を被磁着面に磁着させたときに、高い滑り止め効果を得ることができる。すなわち、シート体６を貼着しない場合に比べてより多くの枚数の紙を挟持することができる。
【００３２】
軸体７は、上蓋部２と土台部３とを接続するための例えばステンレス等の金属製の棒部材である（図５参照）。この軸体７は、上蓋部２の接続孔２６Ａ、土台部３の接続孔３５Ａ、土台部３の接続孔３６Ａ、上蓋部２の接続孔２７Ａの順に軸通される。そして軸体７の先端を押し広げることで接続孔２７Ａから抜けないようにする。これにより、上蓋部２が土台部３に対して回転可能となる。
【００３３】
なお、この軸体７を各接続孔２６Ａ、３５Ａ、３６Ａ、２７Ａに軸通させるに際し、軸体７にダブルトーションバネ８を軸通させる（図３や図５参照）。ダブルトーションバネ８とは、左右２つの捩じりコイルばねが合体した形状のバネである。具体的には、図３に示すように、ダブルトーションバネ８のコの字型の部分が土台板３１の上面後方側に当接し、ダブルトーションバネ８の左右先端の直線部分が蓋本体２１の裏面後方両端側に当接するように配設される。
【００３４】
これにより、ダブルトーションバネ８により上蓋部２に対して加えられるバネ力を左右均等にするとともに、上蓋部２と土台部３とで対象物を左右バランスよく挟むことができる。また、従来品よりも軽い力で開閉させることが可能となる。すなわち、従来の通常のトーションバネでは左右バランスがアンバランスであり、薄い紙や滑りやすいものを挟むと左右のうちどちらかが抜けるか弱くなってしまったり、上蓋部２の歪みも発生したりしていた。しかしながら、本実施形態に係る磁石クリップ１によれば、このような状況を改善することができる。
【００３５】
図７は、本実施形態に係る上蓋部の内側を拡大して見た斜視図である。なお、図７では、説明の便宜上ダブルトーションバネ８は図示を省略している。
【００３６】
図７に示すように、左支持板２７の内側面には、直方体状の３本のガイド部２７Ｂ、２７Ｃ、２７Ｄが平行に並んで突設されている。これらガイド部２７Ｂ、２７Ｃ、２７Ｄの上端は上蓋体２１の裏面上であり、下端は左支持部３６の上部円弧形状の部分の外周に沿う位置、すなわち各々の下端が円弧形状の左上部、中央上部、右上部との間で僅かな間隙を有する位置である。
【００３７】
これらガイド部２７Ｂ、２７Ｃ、２７Ｄが突設されることで、以下の利点を奏する。その利点とは、左支持部３６の位置決めが容易になることである。また他の利点として、使用者が蓋本体２１を例えば鉛直下方向に力を加えて押した場合等に、ガイド部２７Ｂ、２７Ｃ、２７Ｄと左支持部３６との干渉によって蓋本体２１の必要以上の変形を抑え、上蓋部２の強度を高めることができる。なお、右支持板２６の内側面にも同様の３本のガイド部が形成されるものとする。但し、ガイド部の本数は３本に限定されるわけではなく、例えば４本以上であっても良いし、これらガイド部２７Ｂ、２７Ｃ、２７Ｄを繋げ合わせた形状を１個のガイド部として設けてもよい。
【００３８】
［土台部の第１変形例］
図８は、本実施形態に係る土台部の第１変形例を上面から見た図である。
【００３９】
前述の図６に示す土台部３では、土台板３１は、左右両端に二箇所の切欠き３１Ａ、３１Ｂが形成されていた。本第１変形例に係る土台部３００では、土台板３１０の前後方向の前端（左右両端近傍に含まれる）において、左右二箇所の切欠き３１０Ａ、３１０Ｂが形成されている。これらの切欠き３１０Ａ、３１０Ｂは、断片化されたシリコンチューブやＯリング等の中空の弾性体５を嵌め込むためのものである。なお、弾性体５は、その他ＴＰＥ・ＴＰＵ等の熱可塑性樹脂及びＮＲ・クロロプレンゴム・ブチルゴム・ニトリルブタジエンゴム・ウレタンゴム等の樹脂系ゴム（合成ゴム）チューブであってもよい。
【００４０】
これらの切欠き３１０Ａ、３１０Ｂが形成されることにより以下の利点を奏する。その利点とは、磁石クリップ１の製造者が、簡易に構成される切欠き３１０Ａ、３１０Ｂのそれぞれに沿って、手作業等により土台板３１０の左右両端側に弾性体５を嵌め込むことによって、最小限の時間及び人件費の二次加工費で土台板３１０の前端側に滑り止め機能を持たせることができることである。すなわち、例えばゴム等の弾性体を土台板３１０に一体成形するもの、押し出し一体成形するもの、ゴムをドブ漬けするものに比して安価な二次加工費により滑り止め機能を実現することができる。その他の構成については前述と同様であるため、説明を省略する。
【００４１】
［土台部の第２変形例］
図９は、本実施形態に係る土台部の第２変形例を上面から見た図である。
【００４２】
前述の図８に示す第１変形例に係る土台部３００では、土台板３１０の前後方向の前端において左右二箇所に形成された切欠き３１０Ａ、３１０Ｂの各々に、異なる２つの中空の弾性体５が嵌め込まれるものであった。本第２変形例に係る土台部３００では、切欠き３１０Ａ、３１０Ｂに、一つの断面横長楕円形状の中空の弾性体５０が嵌め込まれる。弾性体５０は、シリコンチューブやその他ＴＰＥ・ＴＰＵ等の熱可塑性樹脂及びＮＲ・クロロプレンゴム・ブチルゴム・ニトリルブタジエンゴム・ウレタンゴム等の樹脂系ゴム（合成ゴム）チューブである。本第２変形例に係る土台部３００によれば、前述の第１変形例に係る利点に加え、土台板３１０に嵌め込む弾性体の個数を減らすことができる。
【００４３】
以上、本発明の一実施形態について説明したが、上記実施形態は本発明の適用例の一つを示したものであり、本発明の技術的範囲を上記実施形態の具体的構成に限定する趣旨ではない。
【符号の説明】
【００４４】
１  磁石クリップ
２  上蓋部
３  土台部
４  磁石体
５  弾性体
６  シート体
７  軸体
８  ダブルトーションバネ
２３  後側縁
２４  右側縁
２５  左側縁
３１  土台板
３２  右側面板
３３  左側面板
３４  背面板
Ｓ１  凹み空間
【要約】
【課題】低コスト且つ簡易な構成により被挟持物の滑りを防止することが可能な磁石クリップを提供することを目的とする。
【解決手段】上蓋部と土台部とにより対象物を挟持するとともに、土台部の裏面に嵌込された磁石体が被磁着面に対して着脱可能に磁着されて使用される磁石クリップであって、土台部は、略四角形状の土台板を備え、土台板の対象物が挟持される側の左右両端近傍それぞれに切欠きが形成され、前記切欠きに中空の弾性体が嵌め込まれることを特徴とする。
【選択図】図５【図１】
0006780883.tif 000002
【図２】
0006780883.tif 000003
【図３】
0006780883.tif 000004
【図４】
0006780883.tif 000005
【図５】
0006780883.tif 000006
【図６】
0006780883.tif 000007
【図７】
0006780883.tif 000008
【図８】
0006780883.tif 000009
【図９】
0006780883.tif 000010